(57)【特許請求の範囲】
【請求項１】
電源が供給されている状態で装置の使用が所定期間確認できなかった時に、備えている中央演算処理装置を、所望動作を行える能動状態から何等の動作も行わない待機状態になすことにより前記電源の浪費を防止するストロボ装置であって、前記能動状態時には、シンクロ信号および単発発光信号のいずれが供給されても夫々を前記中央演算処理装置に伝達して前記中央演算処理装置に所望の動作を行わせ、前記待機状態時には、前記中央演算処理装置へ前記シンクロ信号の伝達を阻止すると共に前記中央演算処理装置を前記待機状態から前記能動状態になす制御信号として前記単発発光信号を前記中央演算処理装置に伝達する制御手段を備えたストロボ装置。
【請求項２】
制御手段は、Ｘ接点にカソードが接続される第１ダイオードと、単発発光接点にカソードが接続されアノードが前記第１ダイオードのアノードと接続される第２ダイオードと、前記第１ダイオードのアノードと前記第２ダイオードのアノードと中央演算処理装置との間に接続され、能動状態時にオン状態に、待機状態時にオフ状態に制御され前記Ｘ接点と前記単発発光接点と前記中央演算装置間の電気的接続状態を制御するスイッチ素子と、カソードが前記単発発光接点と接続されると共にアノード側が前記中央演算処理装置と接続される第３ダイオードとを含んでなる請求項１に記載のストロボ装置。
【請求項３】
電源が供給されている状態で装置の使用が所定期間確認できなかった時に所望動作を行える能動状態から何等の動作も行わない待機状態になされる中央演算処理装置と、Ｘ接点あるいは単発発光接点の閉成動作に基づいて生成される信号の前記中央演算処理装置への伝達を制御する制御手段とを備えたストロボ装置であって、前記中央演算処理装置は所定の発光動作を開始させる発光信号が入力される発光起動端子、前記待機状態を解除して前記能動状態に復帰させる解除信号が入力される解除端子および前記待機状態と能動状態とで異なる信号を出力するモード端子を有するものであり、前記制御手段は主極の一端が前記電源と接続されると共に制御極が前記モード端子と接続され、前記能動状態時オン状態に、前記待機状態時オフ状態に制御されるスイッチ素子、該スイッチ素子の主極の他端および前記発光起動端子と接続されると共にアノード同志が接続されている第１，第２ダイオードを介してＸ接点と単発発光接点と接続され、前記Ｘ接点あるいは単発発光接点の閉成動作を、前記スイッチ素子のオン・オフ状態に対応して前記発光起動端子に伝達するスイッチ部および前記解除端子と前記単発発光接点間に順方向に接続される第３ダイオードとを含んで構成されるものであり、前記待機状態時に前記スイッチ素子をオフ状態に制御することにより、前記待機状態時には前記単発発光接点の閉成動作のみを前記第３ダイオードを介して前記解除端子に伝達するストロボ装置。
【発明の詳細な説明】
【０００１】
【産業上の利用分野】
本発明は写真撮影の際に補助光源として有用されているストロボ装置に関し、特に中央演算処理装置（以下、単にＣＰＵと記す）を備えると共に、このＣＰＵを、電源が供給されている状態で所定期間装置の使用が確認できなかった時に、所望動作を行える能動状態から何等の動作も行わない待機状態になすことにより上記電源の浪費を防止するストロボ装置に関するものである。
【０００２】
【従来の技術】
ストロボ装置は、例えば周知のシンクロ信号等の発光開始信号に応答して主コンデンサの充電電荷を閃光放電管に供給して当該閃光放電管を発光させる動作を基本動作とする装置であると共に、従来より写真撮影に際し、例えば夜間や室内等の被写体の周辺輝度が低い場合等において補助光源として有用されている。
【０００３】
加えて、近年のストロボ装置は、ＣＰＵを備え、例えば装着されるカメラとの間で絞り値情報等の撮影情報を交換したり、電源の消費動作や閃光放電管の発光動作を種々の形態で制御する等、高機能化が一段と進んできている。
【０００４】
冒頭に述べたような装置、すなわち、ＣＰＵを備えたストロボ装置において、備えているＣＰＵを、電源が供給されている状態で装置の使用が所定期間確認できなかった時に、所望動作を行える能動状態から何等の動作も行わない待機状態に制御することによりストロボ装置としての動作を禁止し、これによって上記電源の浪費を防止する状態を、電源の一つの消費動作形態として設定できる機能を有するストロボ装置もよく知られている。
【０００５】
ところで、上記のような待機状態を設定できる機能を備えたストロボ装置においては、上記待機状態を解除することにより備えているＣＰＵを能動状態に復帰させる構成が必須の構成として必要になることは詳述するまでもなく、従来、上記ＣＰＵの待機状態の解除、すなわち能動状態への復帰は、図２に示したような構成により、シンクロ信号あるいは単発発光信号を上記ＣＰＵが受けることにより実施されていた。
【０００６】
すなわち、図２は、待機状態を設定できる機能を備えたストロボ装置における、シンクロ信号あるいは単発発光信号による上記待機状態の解除および発光制御構成を備えた従来のストロボ装置例の要部略電気回路図を示している。
【０００７】
図２においてＣＰＵ１は、ストロボ装置の一部、例えば装着されるカメラとの間で絞り値情報等の交換動作を実施する交換構成等を構成し、駆動電源２が供給されることにより上記交換動作等の所望動作を行う能動状態になされると共に、かかる駆動電源２が供給されている状態で装置の使用が所定期間確認できなかった時に上記能動状態から何等の動作も行わない待機状態に制御される。
【０００８】
また、ＣＰＵ１は、駆動電源２と抵抗１０を介して接続される発光起動端子１ａと、駆動電源２と抵抗１１を介して接続される解除端子１ｂを有し、さらに、ＣＰＵ１は、能動状態にある時、上記発光起動端子１ａに例えば低レベル信号である発光信号が入力されることにより図示していない閃光放電管の発光動作を開始させ、また待機状態にある時、上記解除端子１ｂに例えば低レベル信号である解除信号が入力されることにより能動状態に復帰するように構成されている。
【０００９】
Ｘ接点３は、ダイオード４，５および抵抗６を介して上記発光起動端子１ａと、またダイオード４，７および抵抗８を介して上記解除端子１ｂと接続され、閉成動作されることによりダイオード４，５および７の接続点である図２中のＡ点に低レベル信号であるいわゆるシンクロ信号を生成する接点である。
【００１０】
単発発光接点９は、ダイオード５および抵抗６を介して上記発光起動端子１ａと、またダイオード７および抵抗８を介して上記解除端子１ｂと接続され、閉成動作されることにより先のＸ接点３と同様、図２中のＡ点に低レベル信号であるいわゆる単発発光信号を生成する接点である。
【００１１】
すなわち、先のＸ接点３と単発発光接点９は、ＣＰＵ１の発光起動端子１ａと解除端子１ｂに対して並列接続され、したがって図２に示した構成においては、Ｘ接点３あるいは単発発光接点９のどちらが閉成動作されても、図２中のＡ点にシンクロ信号あるいは単発発光信号である低レベル信号が生成され、さらにこの低レベル信号がＣＰＵ１の発光起動端子１ａおよび解除端子１ｂの両端子にダイオード５，７等を介して入力される。
【００１２】
この結果、ＣＰＵ１は、能動状態にある時には、上記両Ｘ接点３，９のどちらか一方の動作によってその発光起動端子１ａに入力される低レベル信号により図示していない閃光放電管の発光動作を開始させるように動作し、また待機状態にある時には、両接点３，９のどちらか一方の動作によってその解除端子１ｂに入力される低レベル信号により能動状態に復帰するように動作する。
【００１３】
【発明が解決しようとする課題】
上述のように図２に示した従来装置は、Ｘ接点あるいは単発発光接点が動作することにより同様な低レベル信号であるシンクロ信号あるいは単発発光信号のどちらか一方がＣＰＵの解除端子に入力されれば、上記ＣＰＵの待機状態の解除、すなわち待機状態から能動状態への復帰動作が行われることになる。
【００１４】
しかしながら、ここで、上記ＣＰＵに入力される信号を中心に見てみると、当該ＣＰＵが能動状態であるのか待機状態であるのかにかかわらず、その解除端子と発光起動端子には上記両接点の動作により必ず低レベル信号が供給される構成となっており、一方、先に述べたようなＣＰＵの待機状態は、通常、一旦設定されると以後は設定されたその状態が確実に解除されない限り安定した種々の所望動作を保証できない状態を設定するものであり、換言すれば、安定した所望動作を期待するには確実に能動状態に復帰していることが必要条件であり、かかる点において先の構成は以下のような不都合点を有している。
【００１５】
例えば、今、ＣＰＵの待機状態時に発光起動端子に入力される低レベル信号について考慮してみると、当該低レベル信号は、待機状態を解除するべく解除端子に入力される低レベル信号と同期して上記発光起動端子に入力されることになることから、ＣＰＵの待機状態から能動状態への復帰時点によっては上記ＣＰＵに不所望な動作状態を生じさせてしまう信号として機能する恐れがある。
【００１６】
したがって、先の構成においては、上記発光起動端子に入力される低レベル信号による悪影響を防止するための防止構成を必要とする煩わしさを有し、またその防止構成自体も、従来より上記低レベル信号が入力されてもそれを入力信号として受け付けないようなソフト処理にて構成することが一般的であり、このため例えば割込み処理等の複雑なソフトが必要となり、この結果、先の構成はＣＰＵ内の信号処理ソフトが複雑化することになる不都合点を有していた。
【００１７】
本発明は上述したような不都合点を考慮してなしたもので、待機状態時においては、上記待機状態を解除し能動状態に復帰させるための単発発光信号のみがＣＰＵに伝達されるように回路的に制御することにより、上記ＣＰＵにおいて複雑なソフト処理を行う必要のないストロボ装置を提供することを目的とする。
【００１８】
【課題を解決するための手段】
本発明によるストロボ装置は、電源が供給されている状態で装置の使用が所定期間確認できなかった時に、備えているＣＰＵ算処理装置を、所望動作を行える能動状態から何等の動作も行わない待機状態になすことにより上記電源の浪費を防止するストロボ装置であって、上記能動状態時には、シンクロ信号および単発発光信号のいずれが供給されても夫々を上記ＣＰＵに伝達して上記ＣＰＵに所望の動作を行わせ、上記待機状態時には、シンクロ信号の上記ＣＰＵへの伝達を阻止すると共に単発発光信号を上記ＣＰＵを上記待機状態から上記能動状態になす制御信号として上記ＣＰＵに伝達する制御手段を備えて構成される。
【００１９】
【作用】
本発明によるストロボ装置は上記のような構成を有することから、ＣＰＵが能動状態になされている時、従来構成と同様、シンクロ信号あるいは単発発光信号が供給された場合、いずれの信号も制御手段を介して上記ＣＰＵに伝達・入力されることになり、よって上記ＣＰＵは所望の動作を行うことになる。
【００２０】
一方、ＣＰＵが待機状態になされている時には、制御手段により、上記ＣＰＵへのシンクロ信号の伝達が回路的に阻止されると共に単発発光信号が上記ＣＰＵを上記待機状態から能動状態になす制御信号としてのみ上記ＣＰＵに伝達されることになり、この結果、待機状態の解除による能動状態への復帰動作は、Ｘ接点の動作により実施されることはなく、単発発光接点の動作により単発発光信号がＣＰＵの解除端子に入力された時のみ実施されることになる。
【００２１】
換言すれば、待機状態時においては、ＣＰＵの発光起動端子と解除端子の両方に、同時にシンクロ信号あるいは単発発光信号が入力されることはなく、したがって同時に入力される構成による不都合の発生を防止するために上記ＣＰＵにおいて複雑なソフト処理を行う必要はなくなる。
【００２２】
【実施例】
図１は本発明によるストロボ装置の一実施例を示す要部電気回路図であり、図中、図２と同符号の構成要素は同機能要素である。
【００２３】
符号１２は、図１で述べたダイオード４，７、抵抗８，１１の他、ダイオード１３、スイッチ素子である例えばトランジスタ１４，１５，１６および抵抗１７〜２２を含んで構成され、Ｘ接点３あるいは単発発光接点９の動作により生成されることになるシンクロ信号あるいは単発発光信号のＣＰＵ１への伝達を制御する制御手段を示している。
【００２４】
なお、ＣＰＵ１のモード端子１ｃは、ＣＰＵ１が所望動作を行える能動状態になされている時に低レベル信号を、何等の動作も行わない待機状態になされている時に高レベル信号を出力するように構成された端子を示している。
【００２５】
以下、上記のような構成からなる本発明によるストロボ装置の一実施例の動作について述べる。
【００２６】
今、ＣＰＵ１に駆動電源２が供給されたとすると、ＣＰＵ１は能動状態になされると共に、その解除端子１ｂに高レベル信号が供給されることになる。
【００２７】
同時にＣＰＵ１は、そのモード端子１ｃより低レベル信号を出力し、よってスイッチ素子であるトランジスタ１６がオン状態に維持され、これによりＣＰＵ１の発光起動端子１ａに高レベル信号が供給されることになる。
【００２８】
かかる状態においてＸ接点３が閉成動作されると、図１中のＢ点に低レベル信号であるシンクロ信号が生成されることになり、よってトランジスタ１６、抵抗１７，１８、ダイオード４およびＸ接点３を介して電流が流れ、上記抵抗１７の両端の降下電圧にてトランジスタ１４がオンし、さらにこのトランジスタ１４のオンにより抵抗１９，２０を介して電流が流れ、上記抵抗２０の両端の降下電圧にてトランジスタ１５がオンすることになる。
【００２９】
トランジスタ１５がオンするとＣＰＵ１の発光起動端子１ａが低レベルに制御されることになり、すなわちトランジスタ１５のオン動作は、それまで高レベル信号が供給されていた上記発光起動端子１ａに低レベル信号が入力されることに他ならず、この結果、ＣＰＵ１は図示していない閃光放電管の発光動作を開始させるように動作することになる。
【００３０】
なお、先のＢ点の低レベル信号は、本実施例においてはダイオード１３によりそのアノード側への伝達が阻止され、すなわちダイオード７および抵抗８を介してＣＰＵ１の解除端子１ｂに入力されることはなく、換言すれば、本実施例は、Ｘ接点３の閉成動作に基づいて生成される低レベル信号であるシンクロ信号が、ＣＰＵ１の能動状態時にはＣＰＵ１の解除端子１ｂに伝達されないように構成されている。
【００３１】
次に、ＣＰＵ１が能動状態にある状態において単発発光接点９が閉成動作されると、図１中のＣ点に低レベル信号である単発発光信号が生成されることになり、よってトランジスタ１６、抵抗１７，１８およびダイオード１３を介して電流が流れ、この結果、先の場合同様、上記抵抗１７の降下電圧によりトランジスタ１４がオンすることになる。
【００３２】
したがって、先の場合同様、トランジスタ１４のオンによりトランジスタ１５がオンし、ＣＰＵ１の発光起動端子１ａに低レベル信号が入力されてＣＰＵ１が図示していない閃光放電管の発光動作を開始させるように動作する。
【００３３】
なお、この時、先のＣ点の低レベル信号に基づき抵抗１１，８およびダイオード７を介して電流が流れ、この結果、それまで高レベル信号が供給されていた解除端子１ｂに低レベル信号が入力されることになるが、この解除端子１ｂに入力される低レベル信号については、ＣＰＵ１がすでに能動状態であることから特にＣＰＵ１に悪影響を及ぼすことはない。
【００３４】
一方、ＣＰＵ１が、駆動電源２の供給状態において装置の使用が所定期間確認できずに何等の動作も行えない待機状態になされると、ＣＰＵ１はそのモード端子１ｃより高レベル信号を出力してスイッチ素子であるトランジスタ１６をオフ状態に維持することになり、よって、トランジスタ１６の出力側である図中のＤ点には何等の電圧も現れなくなる。なお、かかる場合においてもＣＰＵ１の解除端子１ｂには、先の場合同様、駆動電源２より抵抗１１を介して高レベル信号が入力されている。
【００３５】
かかる待機状態において、今、Ｘ接点３が閉成動作されると、先の場合同様、図１中のＢ点に低レベル信号であるシンクロ信号が生成されることになるが、上述したようにトランジスタ１６がオフ状態に維持されて図１中のＤ点に何等の電圧も現れていないことから抵抗１７，１８等を介して電流が流れることはなく、よって、トランジスタ１４、トランジスタ１５がオンすることはない。
【００３６】
この結果、ＣＰＵ１の発光起動端子１ａには何等の信号も入力されないことになり、もちろん、ＣＰＵ１が図示していない閃光放電管の発光動作を開始させるように動作することもない。
【００３７】
なお、かかる待機状態においても先の能動状態時同様、Ｘ接点３の閉成動作に基づくＢ点の低レベル信号がＣＰＵ１の解除端子１ｂに入力されないことは、本実施例の回路構成上明らかである。
【００３８】
次に、上記のようなＣＰＵ１の待機状態において単発発光接点９が閉成動作されると、図１中のＣ点に低レベル信号である単発発光信号が生成され、これにより、抵抗１１，８およびダイオード７を介して電流が流れ、それまで高レベル信号が供給されていた解除端子１ｂに低レベル信号が入力されることになる。
【００３９】
したがって、ＣＰＵ１はこの解除端子１ｂに入力される低レベル信号に基づいて待機状態を解除し、すなわち自身の状態をそれまでの待機状態から能動状態に復帰させるべく動作することになる。
【００４０】
なお、Ｃ点に低レベル信号が生成されても抵抗１７，１８等を介して電流が流れないことは、待機状態においては図１中のＤ点に何等の電圧も現れないことから明らかであり、したがって、トランジスタ１４、トランジスタ１５がオンすることもなく、この結果、ＣＰＵ１の発光起動端子１ａには何等の信号も入力されず、もちろんＣＰＵ１が図示していない閃光放電管の発光動作を開始させるように動作することもない。
【００４１】
以上述べたように、本発明によるストロボ装置の一実施例は、制御手段１２により、ＣＰＵ１の解除端子１ｂにＸ接点３の動作によって生成される低レベル信号であるシンクロ信号は入力されることはなく、当該解除端子１ｂにはＣＰＵ１が待機状態にある時に単発発光接点９の動作によって生成される低レベル信号である単発発光信号のみが入力されるように構成されている。
【００４２】
【発明の効果】
本発明によるストロボ装置は、備えているＣＰＵが能動状態時には、シンクロ信号および単発発光信号のいずれが供給されても夫々を上記ＣＰＵに伝達して上記ＣＰＵに所望の動作を行わせ、上記ＣＰＵが待機状態時には、シンクロ信号の上記ＣＰＵへの伝達を阻止して上記単発発光信号のみを、上記ＣＰＵを上記待機状態から上記能動状態になす制御信号として上記ＣＰＵに伝達する制御手段を備えていることから、上記待機状態時において上記シンクロ信号あるいは単発発光信号の両者が上記ＣＰＵに伝達されることはなく、すなわちソフト処理を行うことなく上記待機状態時に上記単発発光信号のみの上記ＣＰＵへの、上記ＣＰＵを上記待機状態から上記能動状態になす制御信号としての伝達を実現できることになり、この結果、両者が伝達されることによる悪影響の防止を目的とした複雑なソフト処理を上記ＣＰＵにおいて行う必要のないストロボ装置を提供できることになる効果を有している。
【図面の簡単な説明】
【図１】本発明によるストロボ装置の一実施例を示す要部電気回路図
【図２】従来のストロボ装置例の要部略電気回路図
【符号の説明】
１  中央演算処理装置（ＣＰＵ）
２  駆動電源
３  Ｘ接点
４  ダイオード
５  ダイオード
６  抵抗
７  ダイオード
８  抵抗
９  単発発光接点
１０  抵抗
１１  抵抗
１２  制御手段
１３  ダイオード
１４  トランジスタ
１５  トランジスタ
１６  トランジスタ
１７  抵抗
１８  抵抗
１９  抵抗
２０  抵抗
２１  抵抗
２２  抵抗
【図１】
0003655949.tif 000002
【図２】
0003655949.tif 000003